(57)【要約】【課題】  見栄えがよく断線や折れ曲がりに対して耐久性のある取り出し用線状部材を備えた耳あな型補聴器を提供する。【解決手段】  取り出し用線状部材５を備えた耳あな型補聴器１において、取り出し用線状部材５の付け根部５ａに弾性チューブ６を設けた。所定の長さの取り出し用線状部材５を挿入した弾性チューブ６は、フェースプレート３の貫通孔８に挿入され、フェースプレート３の表面３ａから所定の長さＨ突出している。取り出し用線状部材５は、弾性接着剤１０によりフェースプレート３の裏面３ｂに接着される。【選択図】        図２
2014239361.tif 000002
【特許請求の範囲】
【請求項１】
取り出し用線状部材を備えた耳あな型補聴器において、前記取り出し用線状部材の付け根部にコードブッシュを設けることを特徴とする耳あな型補聴器。
【請求項２】
請求項１に記載の耳あな型補聴器において、前記コードブッシュは弾性チューブで形成され、前記弾性チューブはフェースプレート又は電池蓋に形成された貫通孔に挿入され、フェースプレート又は電池蓋の表面から突出していることを特徴とする耳あな型補聴器。
【請求項３】
請求項１又は２に記載の耳あな型補聴器において、前記取り出し用線状部材は、弾性接着剤によりフェースプレート又は電池蓋に接着されることを特徴とする耳あな型補聴器。
【請求項４】
請求項２又は３に記載の耳あな型補聴器において、前記貫通孔のフェースプレート又は電池蓋の裏面側の縁にテーパを形成したことを特徴とする耳あな型補聴器。
【発明の詳細な説明】
【技術分野】
【０００１】
本発明は、外耳道に装着している耳あな型補聴器を取り外すための取り出し用線状部材を備えた耳あな型補聴器に関する。
【背景技術】
【０００２】
従来から、外耳道に装着する耳あな型補聴器には、外耳道に装着したり又は外耳道から外したりする際に、摘んで押し込んだり又は引っ張り出すための取り出し用線状部材が設けられている。この取り出し用線状部材には、ナイロンなどの樹脂製の線状部材が用いられている。
【０００３】
また、特許文献１には、断線や折り曲げに対して耐久性に優れた取り出し用線状部材として、ナイロン繊維を複数本撚ったものやその外周面をコーティングしたものが記載されている。
【先行技術文献】
【特許文献】
【０００４】
【特許文献１】特開２００９−１８２９１７号公報
【発明の概要】
【発明が解決しようとする課題】
【０００５】
しかし、取り出し用線状部材は、フェースプレート又は電池蓋に接着されているので、付け根部に負荷が掛かり断線し易い。また、特許文献１に記載されたナイロン繊維を複数本撚った取り出し用線状部材は、断線に対しては強いが、コシが弱くなり折れ曲がってしまうことがある。
【０００６】
本発明は、従来の技術が有するこのような問題点に鑑みてなされたものであり、その目的とするところは、見栄えがよく断線や折れ曲がりに対して耐久性のある取り出し用線状部材を備えた耳あな型補聴器を提供しようとするものである。
【課題を解決するための手段】
【０００７】
上記課題を解決すべく請求項１に係る発明は、取り出し用線状部材を備えた耳あな型補聴器において、前記取り出し用線状部材の付け根部にコードブッシュを設けるものである。
【０００８】
前記コードブッシュは、弾性チューブで形成され、この弾性チューブはフェースプレート又は電池蓋に形成された貫通孔に挿入して、フェースプレート又は電池蓋の表面から突出させることができる。
【０００９】
前記取り出し用線状部材は、弾性接着剤によりフェースプレート又は電池蓋に接着させることができる。
【００１０】
前記貫通孔のフェースプレート又は電池蓋の裏面側の縁にテーパを形成することができる。
【発明の効果】
【００１１】
請求項１に係る発明によれば、取り出し用線状部材の付け根部に掛かる屈曲による負荷を分散させることにより、取り出し用線状部材を断線し難くすることができる。また、取り出し用線状部材の付け根部のコシが弱くなり折れ曲がってしまうことを防ぐことができる。
【００１２】
コードブッシュを弾性チューブで形成すれば、コードブッシュとしての柔軟性に優れ、組立の作業性が向上する。また、弾性チューブをフェースプレート又は電池蓋に形成された貫通孔に挿入して、フェースプレート又は電池蓋の表面から突出させれば、取り出し用線状部材の付け根部に掛かる負荷を分散させることにより、取り出し用線状部材を断線し難くすることができる。
【００１３】
取り出し用線状部材を弾性接着剤によりフェースプレート又は電池蓋に接着させれば、コードブッシュと取り出し用線状部材の間に接着剤が浸入したとしても取り出し用線状部材の付け根部の柔軟性を維持することができる。
【００１４】
貫通孔のフェースプレート又は電池蓋の裏面側の縁にテーパを形成すれば、コードブッシュの端部をフェースプレート又は電池蓋の裏面から突出させることなく、貫通孔から抜け難くすることができる。
【図面の簡単な説明】
【００１５】
【図１】本発明に係る耳あな型補聴器の概略斜視図
【図２】要部断面図
【図３】別実施の形態の概略斜視図
【発明を実施するための形態】
【００１６】
以下に本発明の実施の形態を添付図面に基づいて説明する。本発明に係る耳あな型補聴器１は、図１に示すように、樹脂製のシェル２とフェースプレート３で本体４を形成し、フェースプレート３の表面３ａにはほぼ垂直にナイロン製の取り出し用線状部材５を取り付けている。
【００１７】
取り出し用線状部材５の付け根部５ａは、コードブッシュとしての弾性チューブ（ビニールチューブ、ゴムチューブ、シリコンチューブ等）６が取り付けられている。７は電池ホルダを形成する電池蓋である。
【００１８】
取り出し用線状部材５の長さは、装用時に指先で容易に摘める長さ（例えば、７ｍｍ〜８ｍｍ）で、且つ装用時に邪魔にならない長さである。また、線状の取り出し用線状部材５の先端には、摘み易くするためビーズなどを取り付けたりした摘み部５ｂが形成されている。本体４の内部には、不図示のアンプまたはＤＳＰ、マイクロホン、イヤホン、ボタン電池などが収納される。
【００１９】
弾性チューブ６は、図２に示すように、フェースプレート３に形成された貫通孔８に挿入され、フェースプレート３の表面３ａから所定の長さＨ（例えば、１ｍｍ〜１．５ｍｍ）突出している。
【００２０】
弾性チューブ６の表面３ａ側の突出部は略円柱状であるが、略円錐状でも構わない。貫通孔８のフェースプレート３の裏面３ｂ側の縁には、テーパ９が形成されている。
【００２１】
以上のように構成された本発明に係る耳あな型補聴器１の取り出し用線状部材５のフェースプレート３への取付方法及び手順について説明する。先ず、弾性チューブ６をフェースプレート３に形成された貫通孔８に挿入する。
【００２２】
次いで、所定の長さのナイロン製の取り出し用線状部材５を用意し、この取り出し用線状部材５を弾性チューブ６に挿入する。
【００２３】
次いで、図２に示すように、取り出し用線状部材５の後端を溶融させ塊を作り、ストッパ部５ｃを形成する。ストッパ部５ｃは貫通孔８を通れない大きさに形成される。
【００２４】
弾性チューブ６の端部にストッパ部５ｃを嵌め込ませて弾性チューブ６の端部を押し広げ、ストッパ部５ｃとフェースプレート３のテーパ９で弾性チューブ６を挟持させることで抜け難くい状態になる。
【００２５】
また、ストッパ部５ｃとフェースプレート３の裏面３ｂを当接するような大きなストッパ部５ｃを形成し、弾性チューブ６の端部がフェースプレート３の裏面３ｂから突出しないように配設すれば、取り出し用線状部材５を引っ張った際に、ストッパ部５ｃが弾性チューブ６に抜ける方向の負荷が掛からなくなる。
【００２６】
また、ストッパ部５ｃとフェースプレート３の間にワッシャを設けても良い。ワッシャの外径は、貫通孔８より十分に大きく、ワッシャの内径は、ストッパ部５ｃよりも小さいものとする。
【００２７】
ストッパ部５ｃは、取り出し用線状部材５と一体に成型してもよい。取り出し用線状部材５が引っ張られたときに、ストッパ部５ｃはフェースプレート３に直接又はフェースプレート３にワッシャを介して引っ掛かることで取り出し用線状部材５の抜け止め手段となる。
【００２８】
次いで、フェースプレート３のテーパ９の箇所でフェースプレート３と弾性チューブ６を弾性接着剤１０で接着する。次いで、フェースプレート３の裏面３ｂに取り出し用線状部材５のストッパ部５ｃを弾性接着剤１０で接着する。また、弾性チューブ６と取り出し用線状部材５を弾性接着剤１０で接着してもよい。
【００２９】
弾性チューブ６のフェースプレート３への取付は、スペースの制約のため、係止用の部品を用いることができないので接着により固定せざるを得ないが、一般的な接着剤を用いると、硬化してしまいコードブッシュとして役割を果たせなくなってしまう。
【００３０】
本発明では、弾性接着剤１０を用いているので、弾性チューブ６と取り出し用線状部材５の間に弾性接着剤１０が浸入したとしても取り出し用線状部材５の付け根部５ａの柔軟性を維持することができる。
【００３１】
最後に、フェースプレート３の表面３ａ側に立設する取り出し用線状部材５の先端に、摘み部５ｂを形成する。
【００３２】
このように、取り出し用線状部材５の付け根部５ａに弾性チューブ６をフェースプレート３の表面３ａから所定の長さＨ（例えば、１ｍｍ〜１．５ｍｍ）突出させて設けることにより、取り出し用線状部材５の断線を防ぐと共に、取り出し用線状部材５の付け根部５ａから折れてコシが弱くなることを防ぐことができる。
【００３３】
また、取り出し用線状部材５は、図３に示すように、電池ホルダを形成する電池蓋７に設けることもできる。取り出し用線状部材５の電池蓋７への取付方法及び手順は、フェースプレート３の場合と同様である。
【００３４】
本発明の実施の形態では、取り出し用線状部材５として、ナイロン製線状部材を用いたが、ナイロン繊維を複数本撚ったものやその外周面をコーティングしたものも取り出し用線状部材５に適用することができる。
【産業上の利用可能性】
【００３５】
本発明によれば、見栄えがよく断線や付け根部からの折れ曲がりに対して耐久性のある取り出し用線状部材を備えた耳あな型補聴器を提供することができる。
【符号の説明】
【００３６】
１…耳あな型補聴器、２…シェル、３…フェースプレート、３ａ…表面、３ｂ…裏面、４…本体、５…取り出し用線状部材、５ａ…付け根部、５ｂ…摘み部、５ｃ…ストッパ部、６…弾性チューブ、７…電池蓋、８…貫通孔、９…テーパ、１０…弾性接着剤。
【図１】
2014239361.tif 000003
【図２】
2014239361.tif 000004
【図３】
2014239361.tif 000005